(57)【要約】UE（200）は、無線基地局及び他の無線基地局に同時に接続するデュアルコネクティビティを実行する。UE（200）は、上りリンクの送信状態を示す上りリンク送信関連情報を無線基地局及び他の無線基地局に送信する送信部（210）と、所定種別の上りリンク送信関連情報の送信実行または停止を制御する制御部（230）とを備える。
2019215860.tif 000002
【特許請求の範囲】
【請求項１】
無線基地局と無線通信を実行するユーザ装置であって、
前記ユーザ装置は、前記無線基地局及び他の無線基地局に同時に接続するデュアルコネクティビティを実行し、
上りリンクの送信状態を示す上りリンク送信関連情報を前記無線基地局及び前記他の無線基地局に送信する送信部と、
所定種別の前記上りリンク送信関連情報の送信実行または停止を制御する制御部と
を備えるユーザ装置。
【請求項２】
前記制御部は、最大送信電力と、物理上りリンク共有チャネルの送信電力との差分であるパワーヘッドルームの報告の送信実行または停止を制御する請求項１に記載のユーザ装置。
【請求項３】
前記所定種別を示す指示を前記無線基地局から受信する受信部を備え、
前記制御部は、前記無線基地局から受信した前記所定種別に基づいて、前記パワーヘッドルームの報告の送信実行または停止を制御する請求項２に記載のユーザ装置。
【請求項４】
ユーザ装置と無線通信を実行する無線基地局であって、
前記ユーザ装置は、前記無線基地局及び他の無線基地局に同時に接続するデュアルコネクティビティを実行し、
前記ユーザ装置と前記無線基地局との上りリンクの送信状態を示す上りリンク送信関連情報を設定する制御部と、
前記上りリンク送信関連情報の設定に用いられる情報を、前記デュアルコネクティビティを実行する他の無線基地局に送信する送信部と
を備える無線基地局。
【請求項５】
前記送信部は、前記デュアルコネクティビティの対象となるサービングセルについて、前記上りリンク送信関連情報の設定に用いられる情報を、前記他の無線基地局に送信する請求項４に記載の無線基地局。
【発明の詳細な説明】
【技術分野】
【０００１】
本発明は、無線通信を実行するユーザ装置及び無線基地局に関し、特に、デュアルコネクティビティに対応したユーザ装置及び無線基地局に関する。
【背景技術】
【０００２】
3rd Generation Partnership Project（3GPP）は、Long Term Evolution（LTE）を仕様化し、LTEのさらなる高速化を目的としてLTE-Advanced（以下、LTE-Advancedを含めてLTEという）を仕様化している。また、3GPPでは、さらに、5G New Radio（NR）などと呼ばれるLTEの後継システムの仕様が検討されている。【０００３】
NRでは、２種類のパワーヘッドルーム（PH）の計算方法が規定されている。具体的には、Type 1と、Type 3とが規定されている（特許文献１参照）。【０００４】
Type 1は、PUSCH（Physical Uplink Shared Channel）向けであり、Type 3は、SRS（Sounding Reference Signal）向けである。つまり、PUSCH送信が設定されていないセルでは、Type 3に基づいてPHが計算され、PHR（Power Headroom Report）が送信される。【０００５】
また、ユーザ装置（UE）が、複数の無線基地局に同時に接続するデュアルコネクティビティ（DC）、例えば、EN-DC（E-UTRA-NR Dual Connectivity）の場合、UEは、全てのサービングセルについて、PHRをそれぞれの無線基地局（eNB及びgNB）に送信する。これにより、eNB及びgNBは、上りリンク（UL）における送信電力状況を認識でき、自局配下のUL送信電力の調整、スプリットベアラ設定時におけるULデータの送信方向の決定、及びDC削除の決定などを実行できる。
【先行技術文献】
【非特許文献】
【０００６】
【非特許文献１】3GPP TS 38.213 V15.1.0, 3rd Generation Partnership Project; Technical Specification Group Radio Access Network; NR; Physical layer procedures for control (Release 15)、3GPP、2018年3月
【発明の概要】
【０００７】
デュアルコネクティビティ（DC）の場合、上述したようなULにおける送信電力状況を正確に認識するためには、各無線基地局が、DCの対象となる全てのサービングセルについて、Type 1またはType 3の何れのPHが適用されているかを把握する必要がある。
【０００８】
したがって、各無線基地局は、DCが設定されている場合、他の無線基地局の設定情報を逐次取得する必要がある。しかしながら、このような状況は、無線基地局間の相互運用性（interoperability）の低下を招く。
【０００９】
そこで、本発明は、このような状況に鑑みてなされたものであり、デュアルコネクティビティ（DC）において、無線基地局間の相互運用性の低下を回避しつつ、無線基地局が全てのサービングセルについてパワーヘッドルーム（PH）などの上りリンク送信関連情報を認識できるユーザ装置及び無線基地局の提供を目的とする。
【００１０】
本発明の一態様は、無線基地局（例えば、eNB100A）と無線通信を実行するユーザ装置（UE200）であって、前記ユーザ装置は、前記無線基地局及び他の無線基地局（gNB100B）に同時に接続するデュアルコネクティビティを実行し、上りリンクの送信状態を示す上りリンク送信関連情報（例えば、PH Type）を前記無線基地局及び前記他の無線基地局に送信する送信部（送信部210）と、所定種別の前記上りリンク送信関連情報の送信実行または停止を制御する制御部（制御部230）とを備える。
【００１１】
本発明の一態様は、ユーザ装置（UE200）と無線通信を実行する無線基地局（例えば、eNB100A）であって、前記ユーザ装置は、前記無線基地局及び他の無線基地局に同時に接続するデュアルコネクティビティを実行し、前記ユーザ装置と前記無線基地局との上りリンクの送信状態を示す上りリンク送信関連情報を設定する制御部（制御部130）と、前記上りリンク送信関連情報の設定に用いられる情報を、前記デュアルコネクティビティを実行する他の無線基地局に送信する送信部（送信部110）とを備える。
【図面の簡単な説明】
【００１２】
【図１】図１は、無線通信システム10の全体概略構成図である。
【図２】図２は、UE200の機能ブロック構成図である。
【図３】図３は、eNB100Aの機能ブロック構成図である。
【図４】図４は、UE200によるPHRの送信動作フローを示す図である。
【図５】図５は、eNB100A及びgNB100BによるPHの種別（PH Type）の共有動作フローを示す図である。
【図６】図６は、eNB100A及びgNB100BによるUE200への設定機能に関するネゴシエーション動作フローを示す図である。
【図７】図７は、eNB100A（gNB100B）及びUE200のハードウェア構成の一例を示す図である。
【発明を実施するための形態】
【００１３】
以下、実施形態を図面に基づいて説明する。なお、同一の機能や構成には、同一または類似の符号を付して、その説明を適宜省略する。
【００１４】
（１）無線通信システムの全体概略構成
図１は、本実施形態に係る無線通信システム10の全体概略構成図である。無線通信システム10は、無線基地局100A（以下、eNB100A）、無線基地局100B（以下、gNB100B）、及びユーザ装置200（以下、UE200）を含む。
【００１５】
無線通信システム10は、Long Term Evolution（LTE）及び5G New Radio（NR）に従った無線通信システムである。なお、LTEは4Gと呼ばれてもよいし、NRは、5Gと呼ばれてもよい。
【００１６】
eNB100Aは、LTE方式の無線基地局である。gNB100Bは、NR方式の無線基地局である。
【００１７】
UE200は、eNB100A及びgNB100Bと無線通信を実行する。具体的には、UE200は、eNB100AとLTE方式に従った無線通信を実行し、gNB100BとNR方式に従った無線通信を実行する。特に、本実施形態では、UE200は、eNB100A及びgNB100Bの両方に同時に接続するデュアルコネクティビティ（DC）を実行することができる。
【００１８】
eNB100Aは、デュアルコネクティビティ設定時において、複数のサービングセル（LTEセル#1, #2）を構成することができる。同様に、gNB100Bは、デュアルコネクティビティ設定時において、複数のサービングセル（NRセル#1, #2）を構成することができる。
【００１９】
UE200は、デュアルコネクティビティ設定時において、上りリンク（UL）の送信状態を示す上りリンク送信関連情報、具体的には、PHR（Power Headroom Report）をeNB100A及びgNB100Bに送信できる。
【００２０】
具体的には、図１に示すように、UE200は、LTEのMAC-CE（Medium Access Control-Control Element）を用いて全てのサービングセル（LTEセル#1, #2及びNRセル#1, #2）のPHRをeNB100Aに送信する。同様に、UE200は、NRのMAC-CEを用いて全てのサービングセル（LTEセル#1, #2及びNRセル#1, #2）のPHRをgNB100Bに送信する。
【００２１】
本実施形態では、LTEセル#1及びNRセル#1では、Type 1のパワーヘッドルーム（PH）が用いられている。一方、LTEセル#2及びNRセル#2では、Type 3のPHが用いられている。つまり、LTEセル#1及びNRセル#1では、PUSCH（Physical Uplink Shared Channel）が設定されている。
【００２２】
なお、Type 1及びType 3のPHについては、3GPP TS 38.213に規定されているとおりである。PHは、無線送受信ユニット（WTRU）の最大送信電力と、現サブフレーム（或いはスロット、ミニスロット）内でのPUSCH送信のための推定送信電力との差である。
【００２３】
（２）無線通信システムの機能ブロック構成
次に、無線通信システム10の機能ブロック構成について説明する。具体的には、eNB100A（gNB100B）及びUE200の機能ブロック構成について説明する。なお、説明の便宜上、UE200から説明する。
【００２４】
（２．１）UE200
図２は、UE200の機能ブロック構成図である。図２に示すように、UE200は、送信部210、受信部220及び制御部230を備える。
【００２５】
送信部210は、LTEまたはNRに従ったUL信号を送信する。特に、本実施形態では、送信部210は、ULの送信状態を示す上りリンク送信関連情報をeNB100A及びgNB100Bに送信する。
【００２６】
具体的には、送信部210は、上りリンク送信関連情報の一例として、パワーヘッドルーム（PH）をeNB100A及びgNB100Bに送信する。より具体的には、送信部210は、MAC-CEを用いて、サービングセル毎のPHの値、種別（Type 1またはType 3）を送信する。当該MAC-CEの構成については、3GPP TS36.321（LTE）及び同TS38.321（NR）に規定されている。
【００２７】
受信部220は、LTEまたはNRに従った下りリンク信号（DL信号）を受信する。特に、本実施形態では、受信部220は、上りリンク送信関連情報の所定種別を示す指示をeNB100A（またはgNB100B、以下同）から受信する。
【００２８】
具体的には、受信部220は、送信実行（オン）または停止（オフ）するべきPHの種別（Type）を示す指示をeNB100Aから受信する。なお、指示方法は、特に限定されない。オンすべきPHの種別が指示されてもよいし、オフすべきPHの種別が指示されてよい。さらに、後述するように、このような指示は必須ではない。
【００２９】
制御部230は、送信部210によって送信されるUL信号、及び受信部220によって受信されるDL信号に関する制御を実行する。
【００３０】
特に、本実施形態では、制御部230は、所定種別（Type 1またはType 3）の上りリンク送信関連情報の送信実行または停止を制御する。
【００３１】
具体的には、制御部230は、最大送信電力と、物理上りリンク共有チャネル（PUSCH）の送信電力との差分であるパワーヘッドルームの報告の送信実行または停止を制御する。
【００３２】
より具体的には、制御部230は、サービングセル（LTEセル#1, #2及びNRセル#1, #2）のPHRの送信実行または停止を制御する。
【００３３】
また、制御部230は、eNB100Aから受信した当該所定種別（Type 1またはType 3）に基づいて、PHRの送信実行または停止を制御する。
【００３４】
（２．２）eNB100A
図３は、eNB100Aの機能ブロック構成図である。図３に示すように、eNB100Aは、送信部110、受信部120及び制御部130を備える。なお、gNB100Bも、通信方式が異なる点を除き、eNB100Aと概ね同様の構成を有する。
【００３５】
送信部110は、LTEに従ったDL信号を送信する。特に、本実施形態では、送信部110は、上りリンク送信関連情報の設定に用いられる情報を、デュアルコネクティビティを実行するgNB100B（他の無線基地局）に送信する。
【００３６】
具体的には、送信部110は、デュアルコネクティビティの対象となるサービングセルについて、上りリンク送信関連情報の設定に用いられる当該情報を、gNB100Bに送信する。
【００３７】
より具体的には、送信部110は、PHの種別（Type 1またはType 3）の決定に必要な情報をgNB100Bに通知する。当該情報の通知には、X2インタフェースを介したシグナリング、ノード間メッセージ（Inter-node message）などを用い得る。或いはコアネットワーク（不図示）またはUE200介して当該情報が通知されても構わない。
【００３８】
受信部120は、LTEに従ったUL信号を受信する。特に、本実施形態では、受信部220は、PHRなどの上りリンク送信関連情報をUE200から受信する。
【００３９】
制御部130は、送信部110によって送信されるDL信号、及び受信部220によって受信されるUL信号に関する制御を実行する。
【００４０】
特に、本実施形態では、制御部130は、UE200とeNB100AとのULの送信状態を示す上りリンク送信関連情報を設定する。
【００４１】
具体的には、制御部130は、PUSCHの設定状態などに基づいて、適用すべきPHの種別（Type 1またはType 3）などを決定する。上述したように、Type 1は、PUSCH向けであり、Type 3は、SRS（Sounding Reference Signal）向けである。つまり、PUSCH送信が設定されていないセルでは、Type 3が設定される。
【００４２】
（３）無線通信システムの動作
次に、無線通信システム10の動作について説明する。具体的には、パワーヘッドルーム（PH）の報告（PHR）に関する動作について説明する。
【００４３】
（３．１）動作例１
図４は、UE200によるPHRの送信動作フローを示す。本動作例では、PHの種別（Type 1またはType 3）毎にUE200からのPHR送信をオン（送信）またはオフ（停止）できるようにする。また、以下の全ての動作例では、eNB100AとgNB100Bとを用いたデュアルコネクティビティ（例えば、EN-DC）が実行されることを前提とする。
【００４４】
図４に示すように、UE200は、サービングセル（LTEセル#1, #2及びNRセル#1, #2）にPHを計算する（S10）。上述したように、LTEセル#1及びNRセル#1では、Type 1のPHが用いられている。一方、LTEセル#2及びNRセル#2では、Type 3のPHが用いられている。
【００４５】
UE200は、PHの種別を示す指示をeNB100A（またはgNB100B）から受信したか否かを判定する（S20）。各無線基地局（eNB100A, gNB100B）は、他の無線基地局が形成したサービングセル（つまり、当該他の無線基地局配下のサービングセル）のPHを報告させる際、何れの種別でPHを報告させるかを指示する。
【００４６】
UE200は、当該指示を受信した場合、PHR送信をオン（送信）またはオフ（停止）に設定する（S30）。
【００４７】
UE200は、設定されたPHR送信の状態に基づいて、何れかの種別のPHRのみをeNB100A（またはgNB100B）に送信する（S40）。つまり、両方の種別が同時にオンとなること、或いは両方の種別が同時にオフとなることは、基本的には想定されない。
【００４８】
なお、S20の処理は省略されてもよい。つまり、デフォルトが何れかの種別に設定されている場合、当該処理は不要である。
【００４９】
また、この場合、UE200は、オフ（停止）に設定されたサービングセルについて、次のように動作してもよい。
【００５０】
（i）当該サービングセルについてはPHRを送信しない、または無効値或いは所定の値を報告する
（ii）所定種別のPHの式に基づいて算出したPHの値を報告する（例えば、常にType 1のPHを算出）
また、（ii）の場合、PHを算出する際に用いられるパラメータ（例えば、送信電力初期値、TPC command累積値、割り当てリソースブロック（RB）数、またはMCS（Modulation and Coding Scheme）選択に基づくオフセット）は、所定の値が適用されてもよい（Virtual PHと同様のフォーマットが用いられてもよい）。
【００５１】
（３．２）動作例２
図５は、eNB100A及びgNB100BによるPHの種別（PH Type）の共有動作フローを示す。本動作例では、eNB100AとgNB100Bとの間において、PH Typeを含むサービングセルの情報が相互に通知される。
【００５２】
図５に示すように、eNB100Aは、PH Typeの決定に必要な情報をgNB100Bに通知する（S110）。上述したように、当該情報の通知には、X2インタフェースを介したシグナリング、ノード間メッセージ（Inter-node message）などを用い得る。或いはコアネットワーク（不図示）またはUE200介して当該情報が通知されても構わない。
【００５３】
同様に、gNB100Bは、PH Typeの決定に必要な情報をeNB100Aに通知する（S120）。
【００５４】
なお、通知単位は、サービングセル、ULまたはBWP（Bandwidth Part）毎でもよい。また、通知内容としては、PH Typeを直接的に示すもの、またはPUSCH（或いはPUCCH(Physical Uplink Control Channel）送信が設定されるか、SRS switchが設定されているかなど、PH Typeを間接的に示すものでもよい。
【００５５】
さらに、上述したような内容に加え、Frequency Range（FR1またはFR2）、Power sharingされる周波数など、当該サービングセルの特徴を示し得る如何なる情報が通知されてもよい。
【００５６】
eNB100A及びgNB100Bは、S130の処理の結果、UE200とのデュアルコネクティビティに関連する全てのサービングセル（LTEセル#1, #2及びNRセル#1, #2）におけるPH Typeを保持する（S130）。
【００５７】
eNB100A及びgNB100Bは、当該PH Typeに基づいて、UL送信電力制御を実行しつつ、UE200との通信を開始する（S140）。
【００５８】
（３．３）動作例３
図６は、eNB100A及びgNB100BによるUE200への設定機能に関するネゴシエーション動作フローを示す。本動作例では、eNB100AとgNB100Bとの間において、UE200への設定機能に関するネゴシエーションが実行される。これにより、eNB100A及びgNB100Bは、各サービングセルにおけるPH Typeを認識し得る。
【００５９】
図６に示すように、eNB100A及びgNB100Bは、UE200に設定される機能のネゴシエーションを実行する（S210）。当該ネゴシエーションについても、X2インタフェースを介したシグナリング、ノード間メッセージ（Inter-node message）などを用い得る。或いはコアネットワーク（不図示）またはUE200介して当該情報が通知されても構わない。
【００６０】
具体的には、eNB100A及びgNB100Bは、互いに設定する機能を認識しつつ、UE200に対する機能の設定情報を決定する。
【００６１】
例えば、Type 3のPHを受信したくない無線基地局（例えば、当該機能非対応）は、当該機能に非対応であることを他方の無線基地局に通知する。或いは、Type 3のPHを受信したくない無線基地局は、関連する機能（例えば、SRS switch）を設定しないように、他方の無線基地局に要求する。なお、このような要求は、SN（Secondary Node） addition procedureの中で通知されてもよい。
【００６２】
eNB100A及びgNB100Bは、当該ネゴシエーションの結果、UE200に設定される内容を決定する（S220）。これにより、eNB100A及びgNB100Bは、各サービングセルにおけるPH Typeを認識し得る。
【００６３】
eNB100A及びgNB100Bは、当該PH Typeに基づいて、UL送信電力制御を実行しつつ、UE200との通信を開始する（S230）。
【００６４】
（４）作用・効果
上述した実施形態によれば、以下の作用効果が得られる。具体的には、動作例１に示したように、UE200は、所定種別（Type 1またはType 3）の上りリンク送信関連情報の送信実行または停止を制御することができる。
【００６５】
このため、デュアルコネクティビティ（DC）が設定されている場合でも、eNB100A（gNB100B）は、他の無線基地局の設定情報を逐次取得することなく、DCの対象となる全てのサービングセルについて上りリンク送信関連情報を容易且つ迅速に認識し得る。
【００６６】
これにより、UE200とeNB100AまたはgNB100Bとの間におけるPH Typeの不一致を回避できる。さらに、他の無線基地局の設定情報を逐次取得する必要もないため、無線基地局間の相互運用性の低下を回避も回避できる。
【００６７】
特に、本実施形態では、UE200は、パワーヘッドルームの報告（PHR）の送信実行または停止を制御することができる。このため、DCの対象となる全てのサービングセルについてPH Typeを容易且つ迅速に認識し得る。
【００６８】
本実施形態では、UE200は、eNB100A（またはgNB100B）から受信したPH Typeに基づいて、PHRの送信実行または停止を制御できる。このため、ネットワーク主導によってPHRの送信実行または停止を柔軟に変更し得る。
【００６９】
本実施形態では、動作例２に示したように、eNB100Aは、上りリンク送信関連情報の設定に用いられる情報を、UE200とのデュアルコネクティビティを実行するgNB100B（他の無線基地局）に送信できる。また、動作例３に示したように、eNB100AとgNB100Bとの間において、UE200への設定機能に関するネゴシエーションを実行できる。
【００７０】
このため、eNB100A及びgNB100Bは、各サービングセルにおけるPH Typeを認識し得る。これにより、同様に、上述したPH Typeの不一致及び無線基地局間の相互運用性の低下を回避し得る。
【００７１】
（５）その他の実施形態
以上、実施形態に沿って本発明の内容を説明したが、本発明はこれらの記載に限定されるものではなく、種々の変形及び改良が可能であることは、当業者には自明である。
【００７２】
例えば、上述した動作例１〜３に示した動作フローの適用単位は、適宜変更してもよい。具体的には、当該適用単位は、UE毎、セルグループ毎（DCのCG、またはPUCCHグループ含む）、周波数毎、（周波数）バンド毎、FR毎（FR1, FR2）、各サービングセル毎、UL種別（normal UL, SUL）毎、BWP単位でもよい。
【００７３】
さらに、何れの動作例においても、通知または設定単位に応じた識別子（例えば、Serving cell Index, SCell Index, UL index, BWP index）が併せて通知されてもよい。
【００７４】
また、何れの動作例においても、PH Typeが一意に決定される場合には、上りリンク送信関連情報に関する通知または設定は、適宜省略されてもよい。
【００７５】
例えば、Primary SCell（PCell）またはPrimary SCell（PSCell）では、PUSCHが必ず設定されるため、PH Typeが一意に決まる。また、DL only serving cellでは、PH自体が通知されない（PHRが送信されない）。さらに、当該通知または設定が省略される場合、単に当該通知または設定をしなくてもよいし、省略されたことが通知されてもよい。
【００７６】
上述した実施形態では、PH Typeを例として説明したが、無線基地局間において、他の無線基地局の設定情報を逐次取得しなければ、UE200とeNB100AまたはgNB100Bとの間で認識不一致となる如何なる情報要素（IE）及び設定内容（例えば、上述したFR1, FR2など）に対して、同様の制御が適用されてもよい。
【００７７】
さらに、上述した動作例２または動作例３の結果に基づいて、必要に応じて、動作例１が追加的に実行されても構わない。また、動作例２及び動作例３では、各無線基地局（ノード）間で当該通知またはネゴシエーションが実行されてもよいし、特定のノードがアンカーノードとして機能し、他のノードに必要な情報を通知してもよい。
【００７８】
なお、F1インタフェースを用いたCentral Unit（CU）-Distributed Unit（DU） split、E1インタフェースを用いたControl Plane（CP）-User Plane（UP） separationのように、無線リソース制御レイヤ（RRC）を管理するノードと、PHRを管理するノードとが異なる場合には、上述した動作が当該ノード間に適用されても構わない。
【００７９】
上述した実施形態では、EN-DCを例として説明したが、LTE-LTE DC、NR-NR DCなど、上述した動作例は、デュアルコネクティビティに対して一般的に適用可能である。
【００８０】
また、上述した実施形態の説明に用いたブロック構成図（図２，３）は、機能ブロックを示している。これらの機能ブロック（構成部）は、ハードウェア及び／またはソフトウェアの任意の組み合わせによって実現される。また、各機能ブロックの実現手段は特に限定されない。すなわち、各機能ブロックは、物理的及び／または論理的に結合した１つの装置により実現されてもよいし、物理的及び／または論理的に分離した２つ以上の装置を直接的及び／または間接的に（例えば、有線及び／または無線）で接続し、これら複数の装置により実現されてもよい。
【００８１】
さらに、上述したeNB100A（gNB100B）及びUE200（当該装置）は、本発明の処理を行うコンピュータとして機能してもよい。図７は、当該装置のハードウェア構成の一例を示す図である。図７に示すように、当該装置は、プロセッサ1001、メモリ1002、ストレージ1003、通信装置1004、入力装置1005、出力装置1006及びバス1007などを含むコンピュータ装置として構成されてもよい。
【００８２】
当該装置の各機能ブロック（図２，３参照）は、当該コンピュータ装置の何れかのハードウェア要素、または当該ハードウェア要素の組み合わせによって実現される。
【００８３】
プロセッサ1001は、例えば、オペレーティングシステムを動作させてコンピュータ全体を制御する。プロセッサ1001は、周辺装置とのインタフェース、制御装置、演算装置、レジスタなどを含む中央処理装置（CPU）で構成されてもよい。
【００８４】
メモリ1002は、コンピュータ読み取り可能な記録媒体であり、例えば、ROM（Read Only Memory）、EPROM（Erasable Programmable ROM）、EEPROM（Electrically Erasable Programmable ROM）、RAM（Random Access Memory）などの少なくとも１つで構成されてもよい。メモリ1002は、レジスタ、キャッシュ、メインメモリ（主記憶装置）などと呼ばれてもよい。メモリ1002は、上述した実施形態に係る方法を実行可能なプログラム（プログラムコード）、ソフトウェアモジュールなどを保存することができる。
【００８５】
ストレージ1003は、コンピュータ読み取り可能な記録媒体であり、例えば、CD-ROM（Compact Disc ROM）などの光ディスク、ハードディスクドライブ、フレキシブルディスク、光磁気ディスク（例えば、コンパクトディスク、デジタル多用途ディスク、Blu-ray（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ1003は、補助記憶装置と呼ばれてもよい。上述の記録媒体は、例えば、メモリ1002及び／またはストレージ1003を含むデータベース、サーバその他の適切な媒体であってもよい。
【００８６】
通信装置1004は、有線及び／または無線ネットワークを介してコンピュータ間の通信を行うためのハードウェア（送受信デバイス）であり、例えばネットワークデバイス、ネットワークコントローラ、ネットワークカード、通信モジュールなどともいう。
【００８７】
入力装置1005は、外部からの入力を受け付ける入力デバイス（例えば、キーボード、マウス、マイクロフォン、スイッチ、ボタン、センサなど）である。出力装置1006は、外部への出力を実施する出力デバイス（例えば、ディスプレイ、スピーカー、LEDランプなど）である。なお、入力装置1005及び出力装置1006は、一体となった構成（例えば、タッチパネル）であってもよい。
【００８８】
また、プロセッサ1001及びメモリ1002などの各装置は、情報を通信するためのバス1007で接続される。バス1007は、単一のバスで構成されてもよいし、装置間で異なるバスで構成されてもよい。
【００８９】
また、情報の通知は、上述した実施形態に限られず、他の方法で行われてもよい。例えば、情報の通知は、物理レイヤシグナリング（例えば、DCI（Downlink Control Information）、UCI（Uplink Control Information））、上位レイヤシグナリング（例えば、RRCシグナリング、MAC（Medium Access Control）シグナリング、報知情報（MIB（Master Information Block）、SIB（System Information Block））、その他の信号またはこれらの組み合わせによって実施されてもよい。また、RRCシグナリングは、RRCメッセージと呼ばれてもよく、例えば、RRC Connection Setupメッセージ、RRC Connection Reconfigurationメッセージなどであってもよい。
【００９０】
さらに、入出力された情報は、特定の場所（例えば、メモリ）に保存されてもよいし、管理テーブルで管理してもよい。入出力される情報は、上書き、更新、または追記され得る。出力された情報は削除されてもよい。入力された情報は他の装置へ送信されてもよい。
【００９１】
上述した実施形態におけるシーケンス及びフローチャートなどは、矛盾の無い限り、順序を入れ替えてもよい。
【００９２】
また、上述した実施形態において、eNB100A（gNB100B、以下同）によって行われるとした特定動作は、他のネットワークノード（装置）によって行われることもある。また、複数の他のネットワークノードの組み合わせによってeNB100Aの機能が提供されても構わない。
【００９３】
なお、本明細書で説明した用語及び／または本明細書の理解に必要な用語については、同一のまたは類似する意味を有する用語と置き換えてもよい。例えば、該当する記載がある場合、チャネル及び／またはシンボルは信号（シグナル）であってもよい。また、信号はメッセージであってもよい。また、「システム」及び「ネットワーク」という用語は、互換的に使用されてもよい。
【００９４】
さらに、パラメータなどは、絶対値で表されてもよいし、所定の値からの相対値で表されてもよいし、対応する別の情報で表されてもよい。例えば、無線リソースはインデックスで指示されるものであってもよい。
【００９５】
eNB100A（基地局）は、１つまたは複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局RRH：Remote Radio Head）によって通信サービスを提供することもできる。
【００９６】
「セル」または「セクタ」という用語は、このカバレッジにおいて通信サービスを行う基地局、及び／または基地局サブシステムのカバレッジエリアの一部または全体を指す。さらに、「基地局」「eNB」、「セル」、及び「セクタ」という用語は、本明細書では互換的に使用され得る。基地局は、固定局（fixed station）、NodeB、eNodeB（eNB）、gNodeB（gNB）、アクセスポイント（access point）、フェムトセル、スモールセルなどの用語で呼ばれる場合もある。
【００９７】
UE200は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００９８】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９９】
また、「含む（including）」、「含んでいる（comprising）」、及びそれらの変形の用語は、「備える」と同様に、包括的であることが意図される。さらに、本明細書或いは特許請求の範囲において使用されている用語「または（or）」は、排他的論理和ではないことが意図される。
【０１００】
本明細書で使用した「第１」、「第２」などの呼称を使用した要素へのいかなる参照も、それらの要素の量または順序を全般的に限定するものではない。これらの呼称は、２つ以上の要素間を区別する便利な方法として本明細書で使用され得る。したがって、第１及び第２の要素への参照は、２つの要素のみがそこで採用され得ること、または何らかの形で第１の要素が第２の要素に先行しなければならないことを意味しない。
【０１０１】
本明細書の全体において、例えば、英語でのa, an, 及びtheのように、翻訳により冠詞が追加された場合、これらの冠詞は、文脈から明らかにそうではないことが示されていなければ、複数のものを含むものとする。
【０１０２】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【産業上の利用可能性】
【０１０３】
上述したように、本発明によれば、デュアルコネクティビティ（DC）において、無線基地局間の相互運用性の低下を回避しつつ、無線基地局が全てのサービングセルについてパワーヘッドルーム（PH）などの上りリンク送信関連情報を認識できるため、有用である。
【符号の説明】
【０１０４】
10  無線通信システム
100A  eNB
100B  gNB
110  送信部
120  受信部
130  制御部
200  UE
210  送信部
220  受信部
230  制御部
1001  プロセッサ
1002  メモリ
1003  ストレージ
1004  通信装置
1005  入力装置
1006  出力装置
1007  バス
【図１】
2019215860.tif 000003
【図２】
2019215860.tif 000004
【図３】
2019215860.tif 000005
【図４】
2019215860.tif 000006
【図５】
2019215860.tif 000007
【図６】
2019215860.tif 000008
【図７】
2019215860.tif 000009
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
無線基地局と無線通信を実行するユーザ装置であって、
前記ユーザ装置は、前記無線基地局及び他の無線基地局に同時に接続するデュアルコネクティビティを実行し、
前記ユーザ装置のパワーヘッドルームの報告を前記無線基地局及び前記他の無線基地局に送信する送信部と、
前記パワーヘッドルームの報告の送信の少なくとも一部を省略する制御部と
を備えるユーザ装置。
【請求項２】
前記制御部は、最大送信電力と、物理上りリンク共有チャネルの送信電力との差分である前記パワーヘッドルームの報告の送信実行または停止を制御する請求項１に記載のユーザ装置。
【請求項３】
所定種別を示す指示を前記無線基地局から受信する受信部を備え、
前記制御部は、前記無線基地局から受信した前記所定種別に基づいて、前記パワーヘッドルームの報告の送信実行または停止を制御する請求項２に記載のユーザ装置。
【請求項４】
ユーザ装置と無線通信を実行する無線基地局であって、
前記ユーザ装置は、前記無線基地局及び他の無線基地局に同時に接続するデュアルコネクティビティを実行し、
前記ユーザ装置のパワーヘッドルームの状態を示す上りリンク送信関連情報を設定する制御部と、
前記上りリンク送信関連情報を、前記デュアルコネクティビティを実行する他の無線基地局に送信する送信部と
を備える無線基地局。
【請求項５】
前記送信部は、前記デュアルコネクティビティの対象となるサービングセルについて、前記上りリンク送信関連情報の設定に用いられる情報を、前記他の無線基地局に送信する請求項４に記載の無線基地局。
【国際調査報告】
2019215860.tif 000010
2019215860.tif 000011
2019215860.tif 000012
2019215860.tif 000013
2019215860.tif 000014
2019215860.tif 000015
2019215860.tif 000016
2019215860.tif 000017
2019215860.tif 000018